(57)【特許請求の範囲】
【請求項１】
少なくとも上下一方の端部に、内方に折り曲げた水平折り曲げ部分と、その後端から垂直に折り曲げた垂直折り曲げ部分を形成したパネル材と、この端部側に配設され、前記折り曲げ部分に嵌合しうる対応形状の折り曲げ部分を有し、かつパネル材の垂直折り曲げ部分の高さよりも若干高寸の垂直折り曲げ部分を備える化粧パネルとを有し、前記化粧パネルの折り曲げ部分を前記パネル材の折り曲げ部分に嵌合し、かつ重なり合った折り曲げ部分をねじ止めして一体化したことを特徴とするカウンターの前面パネル。
【請求項２】
上下端に内方に直角に折り曲げた水平折り曲げ部分を形成したパネル材と、下部に前記折り曲げ部分に外嵌しうる対応形状の折り曲げ部分を形成した上部の化粧パネルと、上部に前記パネル材の折り曲げ部分に外嵌しうる対応形状の折り曲げ部分を形成した下部の化粧パネルとからなり、上下両化粧パネルの折り曲げ部分を、前記パネル材の上下端の折り曲げ部分に嵌合し、かつ重なり合う折り曲げ部分をねじ止めして一体化した請求項１記載のカウンターの前面パネル。
【請求項３】
パネル材及び上下部の化粧パネルの折り曲げ部分を、水平の折り曲げ部分と垂直の折り曲げ部分とからなるものし、重なり合う垂直の折り曲げ部分を、ボルトによりねじ止めした請求項２記載のカウンターの前面パネル。
【請求項４】
下部の化粧パネルの下端に、本体パネルとのつり下げ係合部となる折り曲げ部分を形成した請求項２または３記載のカウンターの前面パネル。
【請求項５】
上部の化粧パネルの上端に、本体パネルとの当接部となる折り曲げ部分を形成した請求項２〜４のいずれかに記載のカウンターの前面パネル。
【発明の詳細な説明】
【０００１】
【発明の属する技術分野】
本発明は、オフィス等で使用されるカウンターの前面パネルに関する。
【０００２】
【従来の技術】
図６に示すカウンター（Ａ）は、天板(１)を支持する左右の脚パネル(２)の前面に、化粧材となる前面パネル(３)を取り付けてなる従来型のものである。
従来のこの種カウンターの前面には、幅木となる化粧パネル(９)が、前面パネル(３)とは別に、左右脚パネル(２)の下部に取り付けられている。
【０００３】
【発明が解決しようとする課題】
このような構成のカウンターでは、カウンター組立時の部品点数及び組立工数が多く、また、前面パネル(３)と幅木(９)との目地合わせが難しいなどの問題点があった。
【０００４】
本発明は、上述の問題点を解決し、カウンター組立時の部品点数及び組立工数を減らし、かつ端部の化粧パネルにより、前面パネルに対して所定の目地を形成させて、全体の高さが一定となるようにしたカウンターの前面パネルを提供することを目的とする。
【０００５】
【課題を解決するための手段】
本発明によると、上記課題は、次のようにして解決される。
(１)  少なくとも上下一方の端部に、内方に折り曲げた水平折り曲げ部分と、その後端から垂直に折り曲げた垂直折り曲げ部分を形成したパネル材と、この端部側に配設され、前記折り曲げ部分に嵌合しうる対応形状の折り曲げ部分を有し、かつパネル材の垂直折り曲げ部分の高さよりも若干高寸の垂直折り曲げ部分を備える化粧パネルとを有し、前記化粧パネルの折り曲げ部分を前記パネル材の折り曲げ部分に嵌合し、かつ重なり合った折り曲げ部分をねじ止めして一体化する。
【０００６】
(２)  上記(１)項において、上下端に内方に直角に折り曲げた水平折り曲げ部分を形成したパネル材と、下部に前記折り曲げ部分に外嵌しうる対応形状の折り曲げ部分を形成した上部の化粧パネルと、上部に前記パネル材の折り曲げ部分に外嵌しうる対応形状の折り曲げ部分を形成した下部の化粧パネルとからなり、上下両化粧パネルの折り曲げ部分を、前記パネル材の上下端の折り曲げ部分に嵌合し、かつ重なり合う折り曲げ部分をねじ止めして一体化する。
【０００７】
(３)  上記(２)項において、パネル材及び上下部の化粧パネルの折り曲げ部分を、水平の折り曲げ部分と垂直の折り曲げ部分とからなるものし、重なり合う垂直の折り曲げ部分を、ボルトによりねじ止めする。
【０００８】
(４)  上記(２)または(３)項において、下部の化粧パネルの下端に、本体パネルとのつり下げ係合部となる折り曲げ部分を形成する。
【０００９】
(５)  上記(２)〜(４)項のいずれかにおいて、上部の化粧パネルの上端に、本体パネルとの当接部となる折り曲げ部分を形成する。
【００１０】
【発明の実施の形態】
図４及び図５に示す本発明の一実施例である前面パネル(３)は、図６に示すカウンター（Ａ）を、天板(１)を下にして、これに左右の脚パネル(２)等を取り付けて行く倒立組み立て方式のもので、この倒立組み立て中のカウンター(Ａ)の本発明の前面パネル(３)に関係する部分を、断面して示している。
【００１１】
これらの図から明らかなように、カウンター（Ａ）は、天板(１)に左右の脚パネル(２)を取り付け、さらに脚パネル(２)の前面に本体パネル((４)を取り付けて、構造体を形成し、かつ本体パネル(４)の前面に前面パネル(３)を取り付けてなるものである。
【００１２】
前面パネル(３)は、図１ないし図３に示すような構成のもので、大部分の面積を占める中間部(５)は、その前面を、塗装、布張りなどの前面からみて感じのよい仕上げ面(６)とした板金のパネル材(７)であり、その上下端は、直角に内方に折り返して曲げた水平折り曲げ部分(7a)と、この部分から対向する方向に直角に折り曲げた垂直折り曲げ部分(7b)と、さらに直角に外方に折り曲げた短い水平折り曲げ部分(7c)とからなる、おおよそコ字形の断面形状とされている。
【００１３】
中間部(５)の上下端には、上下部の化粧パネル(８)(９)が取り付けられている。下部の化粧パネル(９)は、幅木となるパネルであり、その上端には、上述の３回折り返した折り曲げ部分(7a)(7b)(7c)に被さるように、対応して直角に内方に折り曲げた水平折り曲げ部分(9a)と、この部分から上方に直角に折り曲げた垂直折り曲げ部分(9b)と、さらに直角に外方に折り曲げた、短い水平折り曲げ部分(9c)とが形成されている。
【００１４】
化粧パネル(９)の垂直折り曲げ部分(9b)の高さは、パネル材(７)の垂直折り曲げ部分(7b)の高さよりも距離（ｄ）だけ長く、この距離（ｄ）は、パネル材(７)に張り付ける布地の厚さが厚くても、すなわち仕上げ面(６)の厚さが厚くても、折り返し部分(9a)(9b)(9c)が、折り返し部分(7a)(7b)(7c)の上に被さるに充分な距離とされている。
【００１５】
化粧パネル(９)の下端には、上述の水平折り曲げ部分(9a)と同じような長さだけ内方に直角に折り曲げた水平折り曲げ部分(9d)と、その後端から上方に直角に折り曲げた、短い垂直折り曲げ部分(9e)とが形成されている。
【００１６】
同様に、上部の化粧パネル(８)の下端には、前述のパネル材(７)の上部の３回折り返した折り曲げ部分(7a)(7b)(7c)に被さるように、対応して直角に内方に折り曲げた水平折り曲げ部分(8a)と、その後端から下方に直角に折り曲げた垂直折り曲げ部分(8b)と、その前端から直角に外方に折り曲げた、短い水平折り曲げ部分(8c)とが形成されている。
【００１７】
化粧パネル(８)の垂直折り曲げ部分(8b)の高さは、パネル材(７)の垂直折り曲げ部分(7b)の高さよりも距離（ｄ）だけ長く、この距離（ｄ）は、パネル材(７)に張り付ける布地の厚さが厚くても、すなわち仕上げ面(６)の厚さが厚くても、折り返し部分(8a)(8b)(8c)が、折り返し部分(7a)(7b)(7c)の上に被さるに充分な距離とされている。
【００１８】
化粧パネル(８)の上端には、上述の水平折り曲げ部分(8a)と同じような長さだけ内方に直角に折り曲げた水平折り曲げ部分(8d)と、これから下方に直角に折り曲げた、短い垂直折り曲げ部分(8e)とが形成されている。
【００１９】
化粧パネル(８)(９)の折り曲げ部分(8a)(8b)(8c)、(9a)(9b)(9c)を、パネル材(７)の上下部の折り曲げ部分(7a)(7b)(7c)の上に係合し、ボルト(10)によりねじ止めすると、図３に示す前面パネル(３)が完成される。
【００２０】
左右の脚パネル(２)の前面に取り付ける本体パネル(４)には、図４及び図５に示すように、下部（倒立状態で示すこれらの図においては、上方に示されている）には、垂直に短い長さ立ち上がる直角に折り曲げた折り曲げ部分(11a)と、その前端から前方に水平に延びる部分(11b)とからなる段部(11)が形成されている。
この段部(11)は、化粧パネル(９)の水平折り曲げ部分(9d)と垂直折り曲げ部分(9e)が重なる寸法のものとされている。
【００２１】
また、上部（図４及び図５においては下方に示されている）には、垂直面部(12a)と、この部分から内方に折り曲げられた短い水平に延びる部分(12b)とからなる当接部(12)が形成されている。
【００２２】
前面パネル(３)の取り付けに当たっては、図４に示す倒立状態において、左右の脚パネル(２)の間に取り付けられた本体パネル(４)の下端、すなわち倒立状態における上端の段部(11)に、前面パネル(３)の係合部となる水平折り曲げ部分(9d)及び垂直折り曲げ部分(9e)を引っかける。
こうすると、本体パネル(４)に対する前面パネル(３)の位置が正確に規制され、かつ、上端、すなわち倒立状態の前面パネル(３)の下端の垂直折り曲げ部分(8e)は、本体パネル(４)の当接部(12)の垂直面部(12a)に当接する。
【００２３】
この状態では、前面パネル(３)の左右端部及び上下端部から離れた中間位置に配設したボルト孔(13)（図３）は、本体パネル(４)のボルト孔(14)（図４）に必ず整合するので、これらにスペーサ付きボルト(15)を螺入して、図５に示すように前面パネル(３)を本体パネル(４)にねじ止める。
【００２４】
【発明の効果】
請求項１記載の発明によれば、前面パネルの端部に、化粧パネルがパネル材と所定の目地（隙間）を形成して一体化できるので、カウンターを組み立てる際には、この前面パネルを脚パネルの前面に組み付けることにより、パネル材と化粧パネルとの目地が前もって調えられた状態でカウンターを簡単に組み立てることができる。
【００２５】
またパネル材及び化粧パネルの折り曲げ部分を、水平の折り曲げ部分と垂直の折り曲げ部分とからなるものし、化粧パネルの垂直折り曲げ部分の長さをパネル材の垂直折り曲げ部分の長さよりも若干長くしてあるから、パネル材の表面に塩化ビニールシートや布地等の厚手のものを貼り付けた場合でも、同じ所定の前面パネルの全長を確保でき、本体パネルへの取り付け用のボルト孔の位置を狂わすことがない。
【００２６】
請求項２記載の発明のように、上下端に内方に直角に折り曲げた折り曲げ部分を形成したパネル材と下部に前記折り曲げ部分に外嵌する対応形状の折り曲げ部分を形成した上部の化粧パネルと、上部に前記パネル材の折り曲げ部分に外嵌する対応形状の折り曲げ部分を形成した下部の化粧パネルとからなり、上下両化粧パネルの折り曲げ部分を、前記パネル材の上下端の折り曲げ部分に嵌合させ、重なり合う折り曲げ部分をねじ止めして一体化すると、上部に天板に近接する化粧部分と、下部に幅木を形成した前面パネルが得られる。
【００２７】
請求項３記載の発明のように、パネル材及び上下部の化粧パネルの折り曲げ部分を、水平の折り曲げ部分と垂直の折り曲げ部分とからなるものし、重なり合う垂直の折り曲げ部分をボルトによりねじ止めすると、ねじ止めを背部から容易かつ確実に行うことができる。
【００２８】
請求項４記載の発明のように、下部の化粧パネルの下端に、本体パネルとのつり下げ係合部となる折り曲げ部分を形成すると、カウンターの倒立組み立てに当たって、この係合部を本体パネルの段部に引っかけることにより、本体パネルに対する前面パネルの位置決めを簡単容易に行うことができる。
【００２９】
請求項５記載の発明のように、上部の化粧パネルの上端に、本体パネルとの当接部となる折り曲げ部分を形成すると、この部分の当接により、前面パネルをがたつきなく支持することができる。
【図面の簡単な説明】
【図１】  本発明の実施例である前面パネルの、一部を断面で示す分解部分斜視図である。
【図２】  図１に示した前面パネルの上下端を拡大して示す一部省略分解拡大断面図である。
【図３】  組み立てた状態の前面パネルの、一部を断面で示す分解部分斜視図である。
【図４】  倒立状態で組立中のカウンターの一部を断面で示す側面図である。
【図５】  倒立状態で組立完了したカウンターの一部を断面で示す側面図である。
【図６】  カウンターの斜視図である。
【符号の説明】
(Ａ)カウンター
(ｄ)距離
(１)天板
(２)脚パネル
(３)前面パネル
(４)本体パネル
(５)中間部
(６)仕上げ面
(７)パネル材
(7a)水平折り曲げ部分
(7b)垂直折り曲げ部分
(7c)水平折り曲げ部分
(８)化粧パネル
(8a)水平折り曲げ部分
(8b)垂直折り曲げ部分
(8c)水平折り曲げ部分
(8d)水平折り曲げ部分
(8e)垂直折り曲げ部分
(９)化粧パネル
(9a)水平折り曲げ部分
(9b)垂直折り曲げ部分
(9c)水平折り曲げ部分
(9d)水平折り曲げ部分
(9e)垂直折り曲げ部分
(10)ボルト
(11)段部
(11a)折り曲げ部分
(11b)水平に延びる部分
(12)当接部
(12a)垂直面部
(12b)水平に延びる部分
(13)(14)ボルト孔
(15)スペーサ付きボルト
【図１】
0003640041.tif 000002
【図２】
0003640041.tif 000003
【図３】
0003640041.tif 000004
【図４】
0003640041.tif 000005
【図５】
0003640041.tif 000006
【図６】
0003640041.tif 000007